(57)【特許請求の範囲】
【請求項１】
リストバンド（６）に取り付けられた支持体（３）と、時計ムーブメント（３０）および表示手段（３１、３２）を含むケース（２）とを含む腕時計（１）であって、前記ケース（２）は、２つの動作位置においてその面（１６、１７）の一方または他方をそれぞれ示すために、スライドでき反転できるように前記支持体（３）に搭載され、前記腕時計は、その２つの動作位置に前記ケース（２）を保持するための手段（１８）を含み、前記支持体（３）は、その端部（４２）で閉鎖される長手方向溝（１０）をそれぞれ含む２つの平行内部表面（９）を備え、前記ケース（２）は、前記内側表面（９）に向く２つの平行な側方壁（１５）を含み、それぞれの壁に前記支持体（３）の対応する溝（１０）内でスライドできるスナッグ（３９）を有し、各前記溝（１０）は、その端部（４２）から所定の距離に配置された少なくとも１つのストップ（３７、３８、４３、４６）を含み、前記ストップが、前記溝（１０）の１つの端部から前記スナッグ（３９）の第１のスライド移動の後、そのスナッグ（３９）が前記溝（１０）の他方の端部への第２のスライド移動を実行する前に、前記ケース（２）をスナッグ（３９）の回りで回転させて反転させるために、対応するスナッグ（３９）に対してストップ・ゾーンとなっており、さらに、前記ストップ・ゾーンを除く前記溝（１０）に沿ったいずれの位置に前記スナッグ（３９）が存在するときの前記ケース（２）の回転を防止するための手段（１１）を含み、前記ストップ・ゾーンがこのようなケース回転ゾーンとなっていることを特徴とする腕時計。
【請求項２】
前記ケース（２）の回転を防止するための前記手段が、前記支持体（３）上の少なくともガイド表面（１１）によって形成され、前記ガイド表面（１１）上に、スライドの間、前記ケース（２）の支持箇所（４１）が載ることができることを特徴とする請求項１に記載の腕時計。
【請求項３】
各前記溝（１０）が、２つのストップ（３７、３８）を含み、各前記ストップ（３７、３８）が、前記ケース（２）の異なるスライド方向に対応することを特徴とする請求項１に記載の腕時計。
【請求項４】
前記ケース（２）の回転を防止するための前記手段が、前記支持体（３）上の少なくともガイド表面（１１）によって形成され、前記ガイド表面（１１）上に、スライドの間、前記ケース（２）の支持箇所（４１）が載ることができ、各前記溝（１０）が、前記ガイド表面（１１）にほぼ平行であり、前記ガイド表面（１１）から異なる距離に配置され、したがって前記溝（１０）の高いセクション（３４）および低いセクション（３５）を区画する、２つの連続セクションを形成し、それらのセクションが、前記ストップを形成する垂直ブレーキ（３６）によって互いに接続されることを特徴とする、請求項３に記載の腕時計。
【請求項５】
前記ケース（２）の前記スナッグ（３９）が、高さにおいて互いに対してオフセットされ、一方の高いセクション（３４）が他方の低いセクション（３５）を向くように配置され、およびその逆に配置されるように、前記溝（１０）が配置されることを特徴とする請求項４に記載の腕時計。
【請求項６】
各前記溝（１０）が、前記溝（１０）の軸上に位置する単一のストップ（４３）を含み、ケース（２）のスナッグ（３９）がリセス（４４）を含み、前記第１のスライド移動の後、各ストップ（４３）が、対応するスナッグのリセス（４４）に入って前記ケース（２）に関する回転軸となり、前記スナッグ（３９）が、前記ストップ（４３）の周りで回転した後で、連続的なスライドだけが可能であることを特徴とする請求項１に記載の腕時計。
【請求項７】
各ストップ（４６）が前記対応する溝（１０）の一方の側で突出するように設けられ、前記溝（１０）の反対側にはリセス（４７）が前記ストップを向いて、対応するスナッグ（３９）が回転して前記ストップを通過することができるように設けられることを特徴とする請求項１に記載の腕時計。
【請求項８】
前記支持体（３）の各前記溝（１０）が、前記対応するストップに向くリセス（４７）を含み、前記ケース（２）の各前記スナッグ（３９）が、前記溝（１０）高さより長い長さの細長い断面を有し、前記スナッグ（３９）が、前記リセスに入り込んで回転できることを特徴とする請求項１に記載の腕時計。
【請求項９】
前記支持体（３）に関する前記ケース（２）のスライドが、前記リストバンドの方向にほぼ平行な方向に発生することを特徴とする請求項１ないし８のいずれか一項に記載の腕時計。
【発明の詳細な説明】
【０００１】
【発明の属する技術分野】
本発明は、リストバンドに取り付けられた支持体と、時計ムーブメントおよび表示手段を含むケースとを備える腕時計に関する。ケースは、スライドでき、２つの動作位置でその面の一方または他方をそれぞれ示すために反転されるように支持体に搭載され、腕時計は、その２つの動作位置にケースを保持するための手段を含み、支持体は、端部で閉鎖された長手方向溝をそれぞれ含む２つの平行内側表面を備え、ケースは、前記内側表面を向く、支持体の対応する溝内でスライドできるスナッグ（snug）をそれぞれ有する２つの平行側方壁を含み、各溝は、その端部からある距離に配置された少なくとも１つのストップを含み、前記ストップの作用は、溝の一方の端部からスナッグの第１のスライド移動の後に、前記スナッグが、溝の他方の端部への第２のスライド移動を実行する前に、前記ケースを反転させるために、ケースのためのストップ・ゾーンを規制している。
【０００２】
【従来の技術】
このタイプの腕時計はかなり前から知られている。１９３１年８月３日に許可された、フランス国特許第７１２８６８号に対する追加の許可証第４１０６０号は様々な変形例を示している。第１の変形例において、腕時計ケースは、支持体上の任意の場所で反転するために自由に回転できる。他の変形例において、この回転自由性が制限される。実際、その機構の構成は、ケースが支持体の端部でだけ回転でき反転されるようにリセスが設けられている。
【０００３】
しかしながら、これらの実施形態は共通の主な欠点を有する。そのような腕時計の製造者は、機構部の取り扱いが容易になるように選択することあり、その場合、ケースをより容易に解放させるために、機構部において、製造者がその動作位置においてケースを保持させるのにばねを強くしないということである。そのようなケースでは、ユーザの手首による突然の動きにあまりにも感度が高く作られ、その動きでケースが不適切に回転することがある。この欠点を解消するために、製造者はより堅いばねを使用することを選択すると、ケースにおいて、機構部を取り扱うことが難しくなり、機構部品は早期の磨耗にさらされる。
【０００４】
【発明が解決しようとする課題】
本発明の目的は、前記欠点を解消するように、このタイプの腕時計を改善することである。
【０００５】
【課題を解決するための手段】
したがって、本発明は、ケースの前記ストップ・ゾーンの外側での回転を防止するための手段を含み、前記ストップ・ゾーンが回転ゾーンである、前述のタイプの腕時計を提供する。
【０００６】
特定の実施形態において、ケースの前記ストップ・ゾーンの外側での回転を防止するための前記手段は、支持体の少なくとも１つのガイド表面によって形成でき、支持体の表面に対して、ケースの表面をスライドによって当てることができる。
【０００７】
対応するスナッグがストップを乗り越えることを可能にするために、各溝にストップに向いて配置されたリセスを提供することもできる。この実施形態において、細長い断面のスナッグの使用など、溝の高さより長い他の手段を使用することができ、他の手段は、ストップの位置によって画定され、十分な空間が提供される回転ゾーン内だけで回転できる。
【０００８】
ケースは、このように、手首の突然の動きに関係する不適切な回転のあらゆる危険性を取り除く、端部からのある距離の回転ゾーンにおいて、もっぱら回転する。
【０００９】
支持体上の前記ガイド表面を含む好ましい実施形態において、各溝は、ガイド表面にほぼ平行であり、ガイド表面から異なる距離に配置される、２つの連続セクションを形成することができ、このように、前記セクションは垂直方向のブレーキによって接続された高いセクションおよび低いセクションを画定する。特に、ケースのスナッグは、高さにおいて互いに対してオフセットでき、前記溝は、一方の高いセクションが他方の低いセクションに対向し、またはその逆であるように配置される。
【００１０】
本発明は、添付の図面を参照する種々の実施形態例の以下の記載から、より良く理解されるであろう。
【００１１】
【発明の実施の形態】
図１から６は、好ましい実施形態による腕時計１の全般的な外観、および、ケースがスライドし支持体３に対して反転するときの、ケース２により生じる動きを示す。
【００１２】
支持体３は、凹状の表面を有し、リストバンド６を固定するホーンが突出し、側方フランジ７がリストバンド６の方向に平行に配置されている底部４を含む。これらの各側方フランジ７は、中央部で最大高さとされた丸くされた形状の上部縁部８を有し、長手方向溝１０を含む内側表面９を有する。
【００１３】
支持体３の底部４は、図８にも見ることができる、支持体の縁部からその中央領域へ延びる長手方向ガイド表面１１を含み、その表面には、フランジ７によって両側で境界を定められた丸められた横断方向のリセス１２が生成されている。フランジ７はさらに、支持体の長手方向両縁部からほぼ中間の位置で貫通し、対応する溝１０内に開口する孔１３および１４を含む。
【００１４】
この実施形態において、ケース２は、リストバンドの方向に対応するその長手方向で全般的にスピンドル形状（紡錘形）を有し、その側方壁１５は、ほぼ平坦であり平行であり、したがって、支持体の底部４の形状とほぼ相補的な形状の２つの凸状の面１６および１７の形状を決めている。好ましい変形例においては、ケースの面１６および１７と、支持体の底部４とは、それぞれ円弧の輪郭を有する。
【００１５】
各側方壁１５は、ケースの中央部分１９に配置され、好ましくはほぼ球形の一部の形状の小さい突出する要素１８を含む。突出する要素１８は、示されていない弾性のある手段によって、ケース内にセットバック可能に作られることができる。孔２０は、スピンドルの一方の端部２１の近くに中央部分１９を通過する陽に形成されている。スピンドルの他方の端部２２の、時間設定クラウン２４を収容する部分にリセス２３を含む。クラウンは、ケースの上面および下面から突出することを避けるような平坦な形状を有する。
【００１６】
図７により明らかに見られるように、ケースは、その上面１６上に湾曲したガラスぶた２５を載せ、ケースの下面１７に２つの細い横断方向の溝２６を含んでいる。これらの溝には、スライドすることによって、ガラスぶたと同じ湾曲の装飾プレート２８の曲がった端部２７が収容される。このプレート２８は、密封されたバッテリ・ハッチ２９とカバーとを隠し、本明細書に示される例において、下側の面１７のほとんどはケースの裏面に特に審美的な外観を与える目的のためのものである。もちろん、プレート２８は、例えば、任意の対象物または予備のバッテリを受容することができる区画を覆うなどの単なる装飾であるだけでなく他の機能を有することができる。ケースは、さらに従来の方法で、時計ムーブメント３０、文字盤３１、および針３２を含む。
【００１７】
フランジ７の一方の孔１３が、他方のフランジの孔１４の断面より大きな断面を有していることが図８から分かるであろう。実際、腕時計１の組立ておよび分解の間に使用されるこれらの２つの孔１３、１４は異なる機能を有する。組立ての間、ケース２は、支持体３のフランジ７間に置かれなければならず、その際、ケースの孔２０は支持体３の孔１３、１４と整列されなければならない。より大きな断面を備える孔１３は、図１１に示されるバー３３の先端部を受け入れる。そのとき、そのバー３３は、バーが孔１４に近接する反対側の内側表面９に当るまでケース内に挿入される。孔１４の機能は、分解の間、支持体３からケース２を取り外すためにバー３３を取り除くように、バー３３を反対方向に戻すための小さいツールを収容するためのものである。
【００１８】
図９は、この実施形態における溝１０の特定の幾何形状を示す。これらの溝は、ほぼガイド表面１１に平行であるが、ガイド表面から異なる距離に位置する２つの連続的なセクション３４および３５をそれぞれ形成する。したがって、上部ストップ３７および下部ストップ３８を形成する垂直方向ブレーキ３６によって互いに接続された、上部セクション３４および底部セクション３５を形成する。溝１０は、互いに関して反転されており、一方の上部セクション３４は、図１０に見られるように、他方の下部セクション３５の反対に位置し、また逆もまた同じである。これらの溝１０は、バー３３の端部によって形成されるスナッグ３９を受け入れる。これらのスナッグは、図１１に見られるように、高さにおいて互いに関してオフセットされている。一旦バー３３がケース２内に収容されると、ケースに取り付けられるスナッグの使用と同等のシステムが得られ、バーは、例えばＯリング・ジョイント４０の結果としての摩擦によって、孔２０内に保持されることに留意されたい。
【００１９】
支持体３におけるケース２の反転は、図４から６に簡略に示される。ケース２が支持体３に取り付けられ、図１に示されるように、例えばその上面１６を示すその動作位置の１つにあるとき、その小さい突出する要素１８は、ケースを前記位置に固定するように、支持体３の溝１０にスナップ止めされる。ユーザは、ケースを解放し、図４の位置にケースを持っていくために、矢印Ｃ１によって示されるようにケースをスライドさせるために、リストバンド６にほぼ平行な方向にケース２に圧力を加えなければならない。ケース２が動作位置に近づくとき、スナッグが同じ軸上になく、また、溝１０が高さにおいてオフセットしているためだけでなく、なかでも、支持体３の底部とスナッグ３９との距離が、スナッグとケースの端部２１との距離より短いために、ケースはスナッグ３９の周りを回転できないことが注目される。その結果、ケース２は、そのような位置において、スナッグ３９が設けられた端部の近くのケースの支持箇所４１が、支持体のガイド表面１１と接触するまでの非常に小さい隙間だけしか有さない。したがって、スライドさせる間、ユーザは、図４において矢印Ｃ１で示されるリストバンド６の方向に、ケース２の端部２１の近くで圧力を加える。支持箇所４１は、上側のスナッグ３９が上部ストップ３７に当り、下側のスナッグ３９が下部ストップ３８に当るまで、ガイド表面１１上をスライドする。ケースは、ガラスぶた２５の両縁の面１６にガイド表面１１に対向する長手方向縁部（図示されていない）を含むように作られることが好ましい。ガラスぶた２５は、これらフランジおよび支持箇所４１に対してわずかにセットバックし、その結果、ガラスぶたは、動きの間支持体３のあらゆる要素と接触しないことに留意されたい。その後、ケース２は同じ方向にスライドを続けることができない。ケースの端部２１は、リセス１２の上に位置しているので、回転が可能になる。実際、ユーザは、ケースの端部２３を、図５および６における矢印Ｐによって図示されるように立ち上げそれから完全に回転させ、その結果、上側のスナッグ３９は下方へ動き、対応する溝の下部セクション３５のレベルに配置され、一方、下側のスナッグ３９は上方へ動き、対応する溝の上部セクション３４のレベルに配置される。ケースが図６の位置にあるとき、ケースは、図６の矢印Ｃ２で示されるように、ユーザによるその端部２２に近づける圧力の作用を介して、同じ方向に第２のスライド移動を実施させることができる。ケースの下部の装飾面１７が見える第２の動作位置は、スナッグ３９が、溝１０の端部４２に対してストップに到達し、小さな突出する要素１８が、溝１０の他方の端部内にはめ込まれ、したがってケース２を固定することが達成される。
【００２０】
上面１６が見える第１の動作位置に戻すために、スナッグ３９は腕時計の支持体３に対して変えられた側面を有するので、同じ一連の動作だけが、反対方向に作用されるだけである。
【００２１】
そのような構造の１つの利点は、ストップ３７および３８で回転せずに、ケース２が、溝１０の一方の端部４２から他方の端部へスライドできることを防ぐことである。さらに、リセス１２の近くで支持体のフランジ７が最も高いので、ケース２が側方支持なしの位置に達する可能性はない。さらに、ケース２および支持体３それぞれの形状は、形状の連続性、対称性、ケース２の完全な動きのなめらかさを備えた審美的な腕時計１を提供する。この動きは、好ましくは審美的な理由のためにおよび独自性のために、リストバンド６の方向に行われるが、それとは直角方向に移動させるようにすることもできる。動きが、リストバンドの方向に発生するときは、支持体の中央でのケースの回転は、前述の従来技術で記載されたように端部にあるリセスを省略できることを意味し、リストバンドが取り付けられる地点に近い空間を著しく節約できることを意味するものであることに留意されたい。支持体３のガイド表面１１は、ガラスぶた２５が支持体３と接触し、したがって損傷されることを防ぐ追加の機能を有することにも留意されたい。ケースおよび支持体の特定のおよび相補的な形状は、図１から３に見られるように、腕時計が突出する部品を全く有さないので、衝撃および摩擦による磨耗に対する良好な耐性を有する他の利点を腕時計に与える。このことは、金属と同様に安価な成形されたプラスチックの実施形態を用いることができることを意味する。
【００２２】
別の実施形態が図１２に示されている。各溝１０が、その２つの端部４２で閉鎖された１つだけのセクションを含み、各ストップ４３は、好ましくは双方の端部４２から等しい距離に、対応する溝１０の長手方向軸上にほぼ位置する円筒状スタブによって形成される。スナッグ３９は、ガイド表面１１から同じ距離にあり、ここでは長手方向の端が切られた円柱によって形成されたバー３３のその両端に形成される。一旦バー３３が、相補的な形状のケース２の孔２０（図３に見ることができる）の所定の場所におかれると、戻ることはできない。それぞれのスナッグ３９は、対応するストップ４３を収容することができる側方リセス４４を含む。
【００２３】
ケース２、ガイド表面１１、および支持体３の丸められた横断方向リセス１２の形状は、図１から１０による実施形態と同じである。したがって、支持体３におけるケース２の全体の反転する動きシーケンスは、前の記述に対して変更されない。第１の動作位置から第１のスライド移動の後、各スナッグ３９は、対応するストップ４３に対して当り、ストップを覆う。この場所で、前に規定されたようにガイド表面１１とリセス１２の存在のために、ストップ４３の周りでスナッグ３９を回転させることができる。ケース２は回転できるだけである。一旦ケース２が回転すると、各スナッグ３９は、対応する溝１０の閉鎖された第２の端部４２に対してスナッグ３９が当り、ケース２がその他方の動作位置に達するまで、第２のスライド移動を実施させることができる。
【００２４】
他の可能な実施形態が図１３に見られる。ケースのスナッグ３９は、好ましくは、円の２つの部分を接続する２つの平行な直線状の面で形成された長楕円形断面を有し、その長辺方向の長さは支持体３の溝１０の幅より長い。各溝は、それらの端部４２が閉鎖され、好ましくは溝の端部４２から等しい距離に配置された、隆起し突出するストップ４６によって分離され、ガイド表面１１から同じ距離にある２つのセクション４５を含む。丸められた形状でありスナッグ３９の長楕円の長さより大きい寸法のリセス４７が、それぞれのストップ４６を向くように配置されている。セクション４５とリセス４７との間の接合部４８、４９は、スナッグ３９が通過するネックを形成する。好ましくは、支持体３の長手方向ガイド表面１１が示された例でもまだ存在するが、支持体３の底部４の一方の端部から他方の端部へリセス１２により中断されずに連続している。
【００２５】
ケース２の反転する動きは、全体的には前述と同様であるが、ストップ４６を越えて通過するスナッグ３９に関しては著しく異なる。各スナッグ３９は、例えば図１３に示されるように、第１のセクション４５の端部４２から始めて、ストップ４６に当ってケース２がスライドを止めるまで、それぞれの形状によって、対応する溝１０内で回転することなく、対応する溝１０内で第１のスライド移動を実施する。
その動きを連続させるために、スナッグ３９は、ストップ４６の上方の輪郭に従わなければならない。すなわち、スナッグは、持ち上げられて回転し、接合部４８を通過し、リセス４７に入り込み、そこでは、第２セクション４５に入るために、スナッグのリセス４７に最初に入った部分が最後に接合部４９を通って再び出てくるように十分に回転できる。実際、スナッグがリセス４７内にあるとき、支持体３の底部からスナッグまでの距離は、ケース２の端部２１からスナッグまでの距離より大きい。したがって、ケースの第２の面を見せるために、ケース２をこの点で反転させることができ、第２のセクション４５の端部４２にスナッグ３９が当るまで、第２のスライド移動を実施させることができる。このように動作位置が規制される。
【００２６】
スナッグ３９の形状および寸法は、この実施形態において、リセス４７の外でケース２が回転することを防ぐために十分なものであることに留意すべきである。しかしながら、ケース２の支持箇所４１がスライドする支持体３のガイド表面１１は、スナッグ３９がスライドしている間、ケース２の回転を防ぐように強化され、それによって、スナッグに加えられる張力を軽減する。
【００２７】
ガイド表面１１を備えるまたは備えないこの変形例は、丸くされた前述した横断方向リセス１２を支持体３から省略させることができる。これは、支持体の高さにおける空間を節約し、腕時計１の厚みを低減できることを意味する。
【００２８】
腕時計が成形されたプラスチック材料で作られるか、金属で作られるかに係わらず、多くの適用が本発明によるリバーシブル・ケースを備える腕時計の関して想定される。実際、ケースの１つの面を覆う装飾プレートの使用は、内部を隠すことができることとが記載されたが、プレートの代わりに、例えば、その日の時間、第２の時間ゾーン、場合によっては第２のムーブメントを用いて測定された時間、または他のタイプの情報を表示するために使用される第２のアナログまたはデジタル表示部を含むようにケースを作ってもよい。
【図面の簡単な説明】
【図１】２つの動作位置の１つにおける、本発明による腕時計の好ましい実施形態の斜視図である。
【図２】図１の腕時計の支持体の斜視図である。
【図３】図１の腕時計のケースの斜視図である。
【図４】ケースの中間スライド位置における腕時計の概略側面図である。
【図５】ケースの回転段階中の腕時計の概略側面図である。
【図６】ケースの第２のスライド・ストップ前の、回転が完了した腕時計の概略側面図である。
【図７】その垂直中間対称平面に沿った、図１の腕時計ケースの断面図である。
【図８】図１の腕時計の支持体の上面図である。
【図９】図８の線ＩＸ−ＩＸに沿った支持体の長手方向断面である。
【図１０】図９の線Ｘ−Ｘに沿った支持体の横断方向垂直断面である。
【図１１】ケースと図８から１０に示された支持体との間の接続を確立するバーの概略側面図である。
【図１２】各ストップが、ほぼ溝の軸上に配置され、各スナッグがリセスを含む実施形態における、図９と同様の図である。
【図１３】各溝が、対応するストップに向かうリセスを含み、スナッグが細長い形状を有する実施形態における、図９と同様の図である。
【符号の説明】
１  腕時計
２  ケース
３  支持体
４  底部
５  ホーン
６  リストバンド
７  側方フランジ
８  上部縁部
９  内側表面
１０  長手方向溝
１１  長手方向ガイド表面
１３、１４、２０  孔
１５  側方壁
１６、１７  凸状の面
１８  突出する要素
１９  中央部分
２１、２２、２７  端部
２３  リセス
２５  ガラスぶた
【図１】
0004674014.tif 000002
【図２】
0004674014.tif 000003
【図３】
0004674014.tif 000004
【図４】
0004674014.tif 000005
【図５】
0004674014.tif 000006
【図６】
0004674014.tif 000007
【図７】
0004674014.tif 000008
【図８】
0004674014.tif 000009
【図９】
0004674014.tif 000010
【図１０】
0004674014.tif 000011
【図１１】
0004674014.tif 000012
【図１２】
0004674014.tif 000013
【図１３】
0004674014.tif 000014